(57)【要約】 本発明は広帯域無線通信システムにおけるスイッチング方法及び装置に関し、広帯域無線通信システムでＭＢＳのための基地局の方法は、前記基地局が支援するマルチキャリアのうちＭＢＳを提供する第１キャリアに対する識別情報を含むメッセージを端末に送信する過程と、前記端末に対して前記第１キャリアにスイッチングする過程と、前記第１キャリアを介してＭＢＳデータを送信する過程と、を含む。
2013510500.tif 000002
【特許請求の範囲】
【請求項１】
広帯域無線通信システムにおけるＭＢＳのための基地局の方法において、
前記基地局が支援するマルチキャリアのうちＭＢＳを提供する第１キャリアに対する識別情報を含むメッセージを端末に送信する過程と、
前記端末に対して前記第１キャリアにスイッチングする過程と、
前記第１キャリアを介してＭＢＳデータを送信する過程と、を含むことを特徴とする方法。
【請求項２】
前記ＭＢＳを提供する第１キャリアに対する識別情報を含むメッセージはＤＳＡ（Ｄｙｎａｍｉｃ  Ｓｅｒｖｉｃｅ  Ａｄｄｉｔｉｏｎ）メッセージを含むことを特徴とする請求項１に記載の方法。
【請求項３】
前記ＤＳＡメッセージは、前記ＭＢＳを提供するキャリアに対するインデックス、ＭＢＳゾーンの位置、サービスフローパラメータのうち少なくとも一つを含むことを特徴とする請求項２に記載の方法。
【請求項４】
前記基地局が支援するマルチキャリアのうち第２キャリアを介して通信中の前記端末からＭＢＳ関連情報要求メッセージを受信する過程をさらに含むことを特徴とする請求項１に記載の方法。
【請求項５】
広帯域無線通信システムにおけるＭＢＳのための端末の方法において、
基地局からＭＢＳを提供する第１キャリアに対する識別情報を含むメッセージを受信する過程と、
前記第１キャリアにスイッチングする過程と、
前記第１キャリアを介してＭＢＳデータを受信する過程と、を含むことを特徴とする方法。
【請求項６】
前記ＭＢＳを提供する第１キャリアに対する識別情報を含むメッセージは、ＤＳＡメッセージを含むことを特徴とする請求項５に記載の方法。
【請求項７】
前記ＤＳＡメッセージは、前記ＭＢＳを提供するキャリアに対するインデックス、ＭＢＳゾーンの位置、サービスフローパラメータのうち少なくとも一つを含むことを特徴とする請求項６に記載の方法。
【請求項８】
前記基地局が支援するマルチキャリアのうち第２キャリアを介してＭＢＳ関連情報要求メッセージを前記基地局に送信する過程をさらに含むことを特徴とする請求項５に記載の方法。
【請求項９】
広帯域無線通信システムにおけるＭＢＳのための基地局の装置において、
端末との送受信信号を処理する通信部と、
前記通信部を制御して前記基地局が支援するマルチキャリアのうちＭＢＳを提供する第１キャリアに対する識別情報を含むメッセージを端末に送信し、前記端末に対して前記第１キャリアにスイッチングし、前記第１キャリアを介してＭＢＳデータを伝送するように制御する制御部と、を含むことを特徴とする装置。
【請求項１０】
前記ＭＢＳを提供する第１キャリアに対する識別情報を含むメッセージは、ＤＳＡメッセージを含むことを特徴とする請求項９に記載の装置。
【請求項１１】
前記通信部は、前記基地局が支援するマルチキャリアのうち第２キャリアを介して通信中の前記端末からＭＢＳ関連情報要求メッセージを受信することを特徴とする請求項９に記載の装置。
【請求項１２】
広帯域無線通信システムにおけるＭＢＳのための端末の装置において、
基地局との送受信信号を処理する通信部と、
前記通信部を制御して基地局からＭＢＳを提供する第１キャリアに対する識別情報を含むメッセージを受信し、前記第１キャリアにスイッチングし、前記第１キャリアを介してＭＢＳデータを受信する制御部と、を含むことを特徴とする装置。
【請求項１３】
前記ＭＢＳを提供する第１キャリアに対する識別情報を含むメッセージは、ＤＳＡメッセージを含むことを特徴とする請求項１２に記載の装置。
【請求項１４】
前記ＤＳＡメッセージは、前記ＭＢＳを提供するキャリアに対するインデックス、ＭＢＳゾーンの位置、サービスフローパラメータのうち少なくとも一つを含むことを特徴とする請求項１０または１３に記載の装置。
【請求項１５】
前記通信部は、前記基地局が支援するマルチキャリアのうち第２キャリアを介してＭＢＳ関連情報要求メッセージを前記基地局に伝送することを特徴とする請求項１２に記載の装置。
【発明の詳細な説明】
【技術分野】
【０００１】
本発明は広帯域無線通信システムに関し、特にマルチキャリアを用いる無線通信システムにおけるＭＢＳ（Ｍｕｌｔｉｃａｓｔ  Ｂｒｏａｄｃａｓｔ  Ｓｅｒｖｉｃｅ）データの受信のためのスイッチング方法及び装置に関する。
【背景技術】
【０００２】
次世代通信システムである４Ｇ（４ｔｈ  Ｇｅｎｅｒａｔｉｏｎ）通信システムで約１００Ｍｂｐｓ以上の伝送速度を有する様々なサービスをユーザに提供するための研究及び商用化が進められている。特に、現在４Ｇ通信システムでは無線ローカルエリアネットワーク（ＷＬＡＮ：Ｗｉｒｅｌｅｓｓ  Ｌｏｃａｌ  Ａｒｅａ  Ｎｅｔｗｏｒｋ）システム及び無線メトロポリタンエリアネットワーク（ＷＭＡＮ：Ｗｉｒｅｌｅｓｓ  Ｍｅｔｒｏｐｏｌｉｔａｎ  Ａｒｅａ  Ｎｅｔｗｏｒｋ）システムのような広帯域無線アクセス（ＢＷＡ：Ｂｒｏａｄｂａｎｄ  Ｗｉｒｅｌｅｓｓ  Ａｃｃｅｓｓ）通信システムで移動性（ｍｏｂｉｌｉｔｙ）やサービス品質（ＱｏＳ：Ｑｕａｌｉｔｙ  ｏｆ  Ｓｅｒｖｉｃｅ）を保証しつつ高速サービスを支援する研究か活発に進められており、その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６通信システムである。
【０００３】
現在、従来のＩＥＥＥ８０２．１６ｅの進歩した規格であるＩＥＥＥ８０２．１６ｍに対する規格化が進行中である。ネットワーク設備の配置の観点から見ると、過渡期的にＩＥＥＥ８０２．１６ｍ専用のシステムではないＩＥＥＥ８０２．１６ｅ及びＩＥＥＥ８０２．１６ｍが統合されたシステムが具現されるであろう。したがって、端末がＩＥＥＥ８０２．１６ｅシステムでＩＥＥＥ８０２．１６ｅ／１６ｍ統合システムへ移動する時、システムは端末に当該地域が端末を支援していた既存システムと異なる特性を有するシステムであるので新しいシステムへゾーン（ｚｏｎｅ）をスイッチングするように制御する。
【０００４】
図１は、従来技術による無線通信システムにおけるゾーンスイッチングシナリオを示している。すなわち、前記図１はＩＥＥＥ８０２．１６ｅシステムとＩＥＥＥ８０２．１６ｍシステムをいずれも支援する混合基地局（ｍｉｘｅｄ  ＢＳ、Ａｄｖａｎｃｅｄ  ＢＳ）１０４で前記ＩＥＥＥ８０２．１６ｍシステムからサービスを提供されていた端末（Ａｄｖａｎｃｅｄ  ＭＳ）１０２がＩＥＥＥ８０２．１６ｅシステムへゾーンをスイッチングする過程を示している。ここで、前記前記ＩＥＥＥ８０２．１６ｍシステムを支援するゾーンをＭゾーン（Ｍ  ｚｏｎｅ）１０５といい、ＩＥＥＥ８０２．１６ｅシステムを支援するゾーンをＬゾーン（Ｌ  ｚｏｎｅ）１０７という。
【０００５】
端末１０２のサービング基地局である混合基地局（Ｓｅｒｖｉｎｇ  ＡＢＳ）１０４はＭゾーン１０５でステップ１０６を介してＡＡＩ＿ＨＯ−ＣＭＤにゾーンスイッチングを示すＨＯ＿Ｍｏｄｅ=０ｂ０１を設定して前記端末１０２に送信し、前記端末１０２はステップ１０８で前記ＡＡＩ＿ＨＯ−ＣＭＤに含まれたＩＥＥＥ８０２．１６ｅの基本物理層（Ｐｈｙｓｉｃａｌ  ｌａｙｅｒ：ＰＨＹ）情報を用いてＬゾーン１０７と同期化する。前記同期化を完了した端末１０２はステップ１１０でレンジング目的指示子（Ｒａｎｇｉｎｇ  Ｐｕｒｐｏｓｅ  Ｉｎｄｉｃａｔｏｒ）の値を１に設定したＲＮＧ−ＲＥＱメッセージを送信して前記混合基地局１０４のＬゾーン１０７への再進入（ｒｅ−ｅｎｔｒｙ）を試み、これに前記混合基地局１０４はステップ１１２でＲＮＧ−ＲＳＰメッセージを送信してレンジングが完了したか否かを報告する。前記レンジング手順を完了した端末１０２はステップ１１４で正常にデータパス（Ｄａｔａ  ｐａｔｈ）が生成されたことを確認した後、前記スイッチングしたＬゾーン１０７を介して通信を行う。
【０００６】
従来の無線通信システムでは上述のように端末のゾーンスイッチングを行っており、前記ゾーンスイッチングを行った端末がＭＢＳデータを受信するためには前記ゾーンスイッチングが完了した後、前記スイッチングしたゾーンを介してＤＳＡ−ＲＥＱ及びＤＳＡ−ＲＮＧを送受信してＭＢＳのためのデータパスを開設する。しかし、このようにゾーンスイッチングを完了した後、前記ＤＳＡ−ＲＥＱ及びＤＳＡ−ＲＮＧを送受信してＭＢＳのためのデータパスを開設する方式は、前記ＭＢＳデータを受信するまでかかる時間、すなわち、遅延時間が多少長くなる短所がある。したがって、前記ＭＢＳデータ受信の遅延時間を減少させるための方案が提供される必要がある。
【発明の概要】
【発明が解決しようとする課題】
【０００７】
本発明は、上記問題点を解決するために創案されたものであり、本発明の目的は、広帯域無線通信システムにおけるＭＢＳデータの受信のためのゾーンスイッチング方法及び装置を提供することにある。
【０００８】
本発明の他の目的は、広帯域無線通信システムでゾーンスイッチング前にＭＢＳデータ受信情報を獲得する方法及び装置を提供することにある。
【０００９】
本発明のさらに他の目的は、マルチキャリアを用いる広帯域無線通信システムでゾーンスイッチング情報及びＭＢＳデータ受信情報を獲得した後、ゾーンスイッチングを行ってＭＢＳデータパスを開設する方法及び装置を提供することにある。
【００１０】
本発明のさらに他の目的は、マルチキャリアを用いる広帯域無線通信システムで基地局がＭＢＳを提供するキャリアの情報を端末に提供して端末が前記ＭＢＳを提供するキャリアにスイッチングを行う方法及び装置を提供することにある。
【課題を解決するための手段】
【００１１】
上記目的を達成するための本発明の第１見地によれば、広帯域無線通信システムにおけるＭＢＳのための基地局の方法は、前記基地局が支援するマルチキャリアのうちＭＢＳを提供する第１キャリアに対する識別情報を含むメッセージを端末に送信する過程と、前記端末に対して前記第１キャリアへのスイッチングを行う過程と、前記第１キャリアを介してＭＢＳデータを送信する過程と、を含むことを特徴とする。
【００１２】
上記目的を達成するための本発明の第２見地によれば、広帯域無線通信システムにおけるＭＢＳのための端末の方法は、基地局からＭＢＳを提供する第１キャリアに対する識別情報を含むメッセージを受信する過程と、前記第１キャリアへのスイッチングを行う過程と、前記第１キャリアを介してＭＢＳデータを受信する過程と、を含むことを特徴とする。
【００１３】
上記目的を達成するための本発明の第３見地によれば、広帯域無線通信システムにおけるＭＢＳのための基地局の装置は、端末との送受信信号を処理する通信部と、前記通信部を制御して前記基地局が支援するマルチキャリアのうちＭＢＳを提供する第１キャリアに対する識別情報を含むメッセージを端末に送信し、前記端末に対して前記第１キャリアへのスイッチングを行い、前記第１キャリアを介してＭＢＳデータを伝送するように制御する制御部と、を含むことを特徴とする。
【００１４】
上記目的を達成するための本発明の第４見地によれば、広帯域無線通信システムにおけるＭＢＳのための端末の装置は、基地局との送受信信号を処理する通信部と、前記通信部を制御して基地局からＭＢＳを提供する第１キャリアに対する識別情報を含むメッセージを受信し、前記第１キャリアへのスイッチングを行い、前記第１キャリアを介してＭＢＳデータを受信する制御部と、を含むことを特徴とする。
【図面の簡単な説明】
【００１５】
【図１】従来技術による無線通信システムにおけるゾーンスイッチングシナリオを示す図である。
【図２】本発明の一実施形態による無線通信システムの構成を示す図である。
【図３】本発明の一実施形態による無線通信システムにおけるＭＢＳデータの受信のためのゾーンスイッチングシナリオを示す図である。
【図４】本発明の他の実施形態による無線通信システムの構成を示す図である。
【図５】本発明の他の実施形態による無線通信システムにおけるＭＢＳデータの受信のためのゾーンスイッチングシナリオを示す図である。
【図６】本発明のさらに他の実施形態による無線通信システムの構成を示す図である。
【図７】本発明のさらに他の実施形態による無線通信システムにおけるＭＢＳデータの受信のためのゾーンスイッチングシナリオを示す図である。
【図８】本発明の一実施形態による無線通信システムにおける端末の動作手順を示す図である。
【図９】本発明の一実施形態による無線通信システムにおける基地局の動作手順を示す図である。
【図１０】本発明の他の実施形態による無線通信システムにおける端末の動作手順を示す図である。
【図１１】本発明の他の実施形態による無線通信システムにおける基地局の動作手順を示す図である。
【図１２】本発明のさらに他の実施形態による無線通信システムにおける端末の動作手順を示す図である。
【図１３】本発明のさらに他の実施形態による無線通信システムにおける基地局の動作手順を示す図である。
【図１４】本発明による無線通信システムにおける基地局のブロック構成を示す図である。
【図１５】本発明による無線通信システムにおける端末のブロック構成を示す図である。
【図１６】本発明のさらに他の実施形態による無線通信システムの構成を示す図である。
【図１７】本発明のさらに他の実施形態による無線通信システムにおけるＭＢＳデータの受信のためのキャリアスイッチングシナリオを示す図である。
【発明を実施するための形態】
【００１６】
以下、本発明の好ましい実施形態を添付された図面を参照して説明する。そして、本発明を説明するにあたり、関連した公知機能又は構成に対する具体的な説明が本発明の要旨を不明確にし得ると判断される場合、その詳細な説明は省略する。
【００１７】
以下、本発明ではマルチキャリアを用いる広帯域無線通信システムでスイッチング情報及びＭＢＳデータ受信情報を獲得した後、ＭＢＳを提供する位置にスイッチングを行ってＭＢＳデータパスを開設する方法及び装置に関して説明する。
【００１８】
以下、本発明は周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下「ＯＦＤＭ」と称する）／直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下「ＯＦＤＭＡ」と称する）方式の無線通信システムを例に挙げて説明するが、他の方式の無線通信システムにも同様に適用され得る。
【００１９】
本発明は複数の無線規格を支援するシステムを考慮する。例えば、前記複数の無線規格は既存の（ｌｅｇａｃｙ）規格及び前記既存の規格から向上された（ｅｎｈａｎｃｅｄ）規格などのように少なくとも二つの規格であることがある。具体的な例としては、前記複数の無線規格はＩＥＥＥ８０２．１６ｅ及びＩＥＥＥ８０２．１６ｍであることがある。以下、本発明では、説明の便宜のために前記ＩＥＥＥ８０２．１６ｅ及び前記ＩＥＥＥ８０２．１６ｍの規格を支援するシステムを例に挙げて説明し、前記ＩＥＥＥ８０２．１６ｅを「１６ｅ」、前記ＩＥＥＥ８０２．１６ｍを「１６ｍ」と略して表現する。
【００２０】
また、本発明は複数の規格を支援するために物理的資源を区分する単位を「ゾーン（ｚｏｎｅ）」と称する。ここで、一つの規格は一つのゾーンに対応する。以下、本発明では説明の便宜のために、前記１６ｅ規格のためのゾーンを「Ｌゾーン」、前記１６ｍ規格のためのゾーンを「Ｍゾーン」と称し、前記１６ｅ及び１６ｍをいずれも支援する基地局を混合基地局と称する。さらに、以下、本発明では端末が前記１６ｅ及び１６ｍをいずれも支援すると仮定する。
【００２１】
本発明では端末がＭＢＳの受信を必要とする状況でＭゾーン又はＬゾーンへのゾーンスイッチングを行うべき場合、前記端末と基地局が本発明によるＤＳＡ−ＲＥＱ及びＤＳＡ−ＲＳＰメッセージを基地局と送受信して、前記端末がゾーンスイッチングを行う前に前記ＭＢＳを提供されるために必要な情報を予め獲得することによって、前記ゾーンスイッチング後にＭＢＳのための連結パスを迅速に開設する。
【００２２】
下記表１は、本発明によるＤＳＡ−ＲＥＱメッセージの構成を示す。
【００２３】
【表１】
2013510500.tif 000003
【００２４】
ここで、前記ＭＳＴＩＤ（Ｍｏｂｉｌｅ  ＳＴａｔｉｏｎ  ＩＤｅｎｔｉｆｉｅｒ）＋ＭＦＩＤ（Ｍｕｌｔｉｃａｓｔ  Ｆｌｏｗ  ＩＤｅｎｔｉｆｉｅｒ）はＭゾーンでのＭＢＳアドレスを示し、ＣＭＡＣ（Ｃｉｐｈｅｒ−ｂａｓｅｄ  Ｍｅｓｓａｇｅ  Ａｕｔｈｅｎｔｉｃａｔｉｏｎ  Ｃｏｄｅ）  Ｔｕｐｌｅは暗号ベースのメッセージ認証コードを示す。
【００２５】
下記表２は、本発明によるＤＳＡ−ＲＳＰメッセージの構成を示す。
【００２６】
【表２】
2013510500.tif 000004
【００２７】
ここで、前記ＭＣＩＤ（Ｍｕｌｔｉｃａｓｔ  Ｃｏｎｎｅｃｔｉｏｎ  ＩＤｅｎｔｉｆｉｅｒ）はＬゾーンでのＭＢＳアドレスを示すもので、前記表１のＭＳＴＩＤ＋ＭＦＩＤが示すＭゾーンのＭＢＳに対応するＬゾーンのＭＢＳアドレスである。また前記ＦＡインデックスはＭゾーンで端末が希望するＭＢＳを提供するキャリアを示すもので、Ｌゾーンへのゾーンスイッチング時には含まれず、Ｍゾーンへのゾーンスイッチング時にのみ含まれる。
【００２８】
ここで、前記表１及び表２は端末がＭゾーンからＬゾーンへスイッチングを行う場合に送受信されるＤＳＡ−ＲＥＱとＤＳＡ−ＲＳＰを例に挙げて説明したもので、前記端末がＬゾーンからＭゾーンへスイッチングを行う場合には前記ＤＳＡ−ＲＥＱとＤＳＡ−ＲＳＰに含まれるＭＢＳアドレスが変更される。すなわち、前記端末がＬゾーンからＭゾーンへスイッチングを行う場合に前記ＤＳＡ−ＲＥＱには前記ＭＣＩＤが含まれ、前記ＤＳＡ−ＲＳＰにはＭＳＴＩＤ＋ＭＦＩＤが含まれる。また、前記ＭゾーンではＭＡＣ  ＰＤＵ自体を暗号化するので、前記Ｍゾーンへのゾーンスイッチングを行う場合には前記ＣＭＡＣ  Ｔｕｐｌｅを含まない。
【００２９】
すると、前記のようなＤＳＡ−ＲＥＱとＤＳＡ−ＲＳＰを用いて混合基地局をサービング基地局とする端末が前記混合基地局内でゾーンスイッチングを行う場合と他の基地局にゾーンスイッチングを行う場合について述べる。
【００３０】
先ず、図２及び図３を参照して前記混合基地局をサービング基地局とする端末が前記混合基地局内のＭゾーンからＬゾーンへのゾーンスイッチングを行う場合について述べる。ここでは、前記混合基地局がＬゾーンでＭＢＳを提供すると仮定し、前記ＬゾーンでＭＢＳを提供することは１６ｅのみを支援する端末も前記ＭＢＳを提供されることができるようにするためである。
【００３１】
図２は、本発明の一実施形態による無線通信システムの構成を示している。
【００３２】
前記図２に示すように、前記端末２０２は混合基地局２０４とＭゾーン２１０で登録を終えてデータを送受信する（ステップ２０６）。ここで、前記端末２０２はネットワークに初めて接続したか、または既にネットワークに登録されて通信中であることがある。
【００３３】
前記端末２０２はＭＢＳのために現在接続中のＭゾーン２１０でのデータ２１４の伝送とは別途に前記混合基地局２０４とＤＳＡ−ＲＥＱメッセージ及びＤＳＡ−ＲＳＰメッセージを送受信することによって、ＭＢＳ２１６の受信に必要な情報を獲得した後、前記Ｌゾーン２１２へスイッチングして連結パスを開設し、前記獲得した情報を用いてＭＢＳ２１６を受信する（ステップ２０８）。
【００３４】
すなわち、前記端末２０２は前記表１に示すように、自らが希望するＭＢＳのＭゾーン２１０のアドレスであるＭＳＴＩＤ＋ＭＦＩＤ、前記ＣＭＡＣ  Ｔｕｐｌｅ、ＱｏＳ情報及びＰＨＹパラメータを含むＤＳＡ−ＲＥＱメッセージを前記混合基地局２０４に伝送し、これを受信した前記混合基地局２０４は前記表２に示すように、Ｌゾーン２１２で前記ＭＳＴＩＤ＋ＭＦＩＤに対応するＭＣＩＤを獲得した後、前記Ｌゾーン２１２でＭＢＳデータを受信するために必要な必須情報と前記ＭＣＩＤを含むＤＳＡ−ＲＳＰメッセージを前記端末２０２に伝送する。
【００３５】
図３は、本発明の一実施形態による無線通信システムにおけるＭＢＳデータの受信のためのゾーンスイッチングシナリオを示している。
【００３６】
前記図３に示すように、端末３０２はステップ３０６でＭＢＳのための連結パスを開設するためにＤＳＡ−ＲＥＱメッセージを混合基地局３０４に送信する。この時前記端末３０２は前記表１に示すようにＭＢＳに指定されたＭＳＴＩＤ情報＋ＭＦＩＤ情報及び当該ＱｏＳ情報を含むＤＳＡ−ＲＥＱメッセージを前記混合基地局３０４に送信する。
【００３７】
前記ＤＳＡ−ＲＥＱメッセージを受信した前記混合基地局３０４はＭＳＴＩＤ＋ＭＦＩＤを介して前記端末３０２がＭＢＳを提供されようとすることを認知し、ステップ３０８でＭＢＳを提供するＬゾーン３０７で前記ＭＳＴＩＤ＋ＭＦＩＤに対応するサービスが存在するか否かを検索し、当該サービスが存在する場合、前記当該サービスのＭＣＩＤ及び関連情報を獲得する。
【００３８】
その後、前記混合基地局３０４はステップ３１０で前記ＤＳＡ−ＲＥＱメッセージに対する応答としてＤＳＡ−ＲＳＰメッセージを生成して前記端末３０２に送信する。ここで、前記Ｌゾーン３０７に前記ＭＳＴＩＤ＋ＭＦＩＤに対応するサービスが存在しない場合、前記混合基地局３０４は前記表２に示すようなＤＳＡ−ＲＳＰメッセージで「Ｃｏｎｆｉｒｍａｔｉｏｎ  Ｃｏｄｅ」フィールドを０ｘ００に設定して前記端末３０２に伝送する。一方、前記Ｌゾーン３０７に前記ＭＳＴＩＤ＋ＭＦＩＤに対応するサービスが存在する場合、前記表２に示すように前記混合基地局３０４は前記「ＣｏｎｆｉｒｍａｔｉｏｎＣｏｄｅ」フィールドが０ｘ０１に設定し、前記Ｌゾーン３０７で当該サービスが使用しているＭＣＩＤ、前記Ｌゾーン３０７で使用されるＰＨＹプリアンブル、サービスフローパラメータ（Ｓｅｒｖｉｃｅ  Ｆｌｏｗ  Ｐａｒａｍｅｔｅｒ）及びＣＭＡＣ  Ｔｕｐｌｅなどを含むＤＳＡ−ＲＳＰメッセージを前記端末３０２に伝送する。
【００３９】
さらに、前記混合基地局３０４はステップ３１２でゾーンスイッチング時に必要な追加的な情報（例えば、Ｍゾーン３０５に対する連結維持情報）をＡＡＩ＿ＨＯ―ＣＭＤメッセージに含めて前記端末３０２に送信できる。
【００４０】
その後、前記端末３０２はステップ３１４で前記ＤＳＡ−ＲＳＰ及びＡＡＩ＿ＨＯ―ＣＭＤメッセージに含まれた情報を基に前記混合基地局３０４のＬゾーン３０７と同期を取ることによって、フレームを解析する準備をする。
【００４１】
その後、前記端末３０２はステップ３１６でＲＮＧ−ＲＥＱメッセージを前記Ｌゾーン３０７に送信し、ステップ３１８で前記Ｌゾーン３０７からＲＮＧ−ＲＳＰメッセージを受信してネットワークへの再進入手順を行う。その後、前記端末３０２はステップ３２０で前記Ｌゾーン３０７との連結が開設されると、前記Ｍゾーン３０５でＤＳＡ−ＲＳＰメッセージを介して獲得したＭＣＩＤ情報を用いて前記Ｌゾーン３０７からＭＢＳデータを受信する。
【００４２】
次いで、下記図４及び図５を参照して前記混合基地局をサービング基地局とする端末が前記混合基地局内のＭゾーンから他の基地局のＬゾーンへのゾーンスイッチングを行う場合、すなわち、他の基地局へのハンドオーバが必要な場合について述べる。ここでは、前記端末の移動性によって新しい基地局へのハンドオーバが必要な時、ハンドオーバターゲット基地局がＬゾーンのみを支援する場合を仮定して説明する。
【００４３】
図４は、本発明の他の実施形態による無線通信システムの構成を示している。
【００４４】
前記図４に示すように、前記端末４０８は混合基地局４０２のＭゾーン４１２でＥ−ＭＢＳ４１３を提供される（ステップ４０６）。ここでは、前記端末４０８が前記混合基地局４０２のＭゾーン４１２でＥ−ＭＢＳ４１３を提供されていると仮定して説明するが、前記端末４０８が他の種類のサービスを提供されているか、またはネットワークに初めて進入した場合にも同じ方式が適用され得る。
【００４５】
この時、前記端末４０８の移動性によってハンドオーバが必要な場合、前記混合基地局４０２は前記端末４０８へターゲット基地局４０４へのハンドオーバを命令し、前記端末４０８からＤＳＡ−ＲＥＱメッセージを受信する。前記ＤＳＡ−ＲＥＱメッセージを受信した混合基地局４０２はバックボーンネットワークを介してハンドオーバターゲット基地局４０４が前記Ｅ−ＭＢＳに対応するサービスを提供するか否かを検索する（ステップ４０３）。前記ハンドオーバターゲット基地局４０４が前記Ｌゾーン４１４で前記Ｅ−ＭＢＳ４１３に対応するＭＢＳ４１５を提供していれば、前記混合基地局４０２はＬゾーン４１４に対するスイッチング情報及びＭＢＳ４１５関連情報を含むＤＳＡ−ＲＳＰメッセージを前記端末４０８に送信する。
【００４６】
前記ＤＳＡ−ＲＳＰメッセージ受信した前記端末４０８は前記混合基地局４０２でＬゾーンへのゾーンスイッチングを行った後、前記ターゲット基地局４０４のＬゾーン４１４にハンドオーバして前記ターゲット基地局４０４から前記ＭＢＳ４１５を提供される（ステップ４１０）。ここで、前記混合基地局４０２のＭゾーン４１２でマルチキャリアを用いる場合、前記端末４０８は前記Ｍゾーン４１２との連結を維持して前記Ｅ−ＭＢＳ４１５に対するシームレスサービスを保証することができる。
【００４７】
図５は、本発明の他の実施形態による無線通信システムにおけるＭＢＳデータの受信のためのゾーンスイッチングシナリオを示している。
【００４８】
前記図５に示すように、端末５０２はステップ５０８でサービング混合基地局５０４のＭゾーン５０５でＥ−ＭＢＳを提供される。この時、前記端末５０２の移動性によってハンドオーバが必要な場合、前記混合基地局５０４はステップ５１０で前記端末５０２へターゲット基地局５０６へのハンドオーバを命令するＡＡＩ＿ＨＯ―ＣＭＤメッセージを伝送する。ここで、前記ＡＡＩ＿ＨＯ―ＣＭＤメッセージは前記ターゲット基地局５０６がＬゾーンのみを支援する基地局であることを示すことができる。
【００４９】
前記ＡＡ＿ＨＯ＿ＣＭＤメッセージを受信した端末５０２はステップ５１２で本発明で提案するＤＳＡ−ＲＥＱメッセージを前記混合基地局５０４に送信する。この時、前記端末５０２は前記表１に示すように、前記ＤＳＡ−ＲＥＱメッセージに自らが提供されるＥ−ＭＢＳのＭＳＴＩＤ＋ＭＦＩＤを含むことによって、前記ターゲット基地局５０６で前記Ｅ−ＭＢＳに対応するサービスが提供されているか否かを確認してくれるように要求できる。
【００５０】
前記ＤＳＡ−ＲＥＱメッセージを受信した混合基地局５０４はステップ５１３でバックボーンネットワークを介して前記ターゲット基地局５０６で前記Ｅ−ＭＢＳに対応するサービスを提供するか否かを検索する。この時、前記混合基地局５０４は前記ＭＳＴＩＤ＋ＭＦＩＤに対応するＭＣＩＤが存在するか否かを検索し、当該ＭＣＩＤを獲得できる。
【００５１】
前記ターゲット基地局５０６が前記Ｅ−ＭＢＳに対応するサービスを提供する時、前記混合基地局５０４はステップ５１４で前記対応するサービスのＭＣＩＤ及びそれに関連した情報（例えば、ＱｏＳ情報）を含むＤＳＡ−ＲＳＰメッセージを前記端末５０２に送信する。すなわち、前記ＤＳＡ−ＲＳＰメッセージは前記表２のように構成される。もし、前記ターゲット基地局５０６が前記Ｅ−ＭＢＳに対応するサービスを提供しない場合、前記混合基地局５０４は前記ＤＳＡ−ＲＳＰメッセージで「Ｃｏｎｆｉｒｍａｔｉｏｎ  Ｃｏｄｅ」フィールドを０ｘ００に設定して前記端末５０２に送信する。ここで、前記ターゲット基地局５０６が対応するサービスを提供する場合、前記ＤＳＡ−ＲＳＰメッセージの「Ｃｏｎｆｉｒｍａｔｉｏｎ  Ｃｏｄｅ」フィールドは０ｘ０１に設定する。
【００５２】
前記ＤＳＡ−ＲＳＰメッセージを受信した端末５０２はステップ５１６に進んで前記ＡＡＩ＿ＨＯ―ＣＭＤメッセージに含まれたゾーンスイッチング情報を用いて混合基地局５０４のＬゾーン５０７と同期を取った後、ステップ５１８で前記混合基地局５０４のＬゾーン５０７にＲＮＧ−ＲＥＱメッセージを伝送してゾーンスイッチングのためのレンジング手順を行う。ここで、前記端末５０２はＤＳＡ−ＲＳＰメッセージの「Ｃｏｎｆｉｒｍａｔｉｏｎ  Ｃｏｄｅ」フィールドが０ｘ００に設定された場合、ハンドオーバ後にＭＢＳを維持できないことを迅速に認識して、これをユーザに知らせることができる。
【００５３】
この後、前記混合基地局５０４はステップ５１９で前記バックボーンネットワークを介して前記ターゲット基地局５０６のＭＢＳ関連情報を再検索して変更事項があるか否かをチェックし、ステップ５２０でＲＮＧ−ＲＳＰメッセージを前記端末５０２に送信する。この時、前記再検索の結果、変更事項がある場合、前記混合基地局５０４は前記変更事項を前記ＲＮＧ−ＲＳＰメッセージに含めて伝送できる。
【００５４】
前記ＲＮＧ−ＲＳＰメッセージを受信した端末５０２はステップ５２２で前記ターゲット基地局５０６にＨＯ＿ＩＮＤメッセージを送信してハンドオーバの施行を知らせ、ステップ５２４で前記ターゲット基地局５０６にＲＮＧ−ＲＥＱメッセージを送信する。その後、前記端末５０２はステップ５２６で前記ターゲット基地局５０６からＲＮＧ−ＲＳＰメッセージを受信することによって、ステップ５２８で前記ターゲット基地局５０６との連結パスを開設する。その後、前記端末５０２は前記ＤＳＡ−ＲＳＰメッセージを介して予め受信されたＭＢＳ関連情報を用いて前記ターゲット基地局５０６からＭＢＳを提供される。
【００５５】
そして、図６及び図７を参照してマルチキャリアを支援する混合基地局をサービング基地局とする端末がＥ−ＭＢＳのために前記サービング基地局内でゾーンスイッチングを行う場合について述べる。ここでは、前記サービング基地局がマルチキャリアを支援しており、ＭＢＳはマルチキャリアのうち一つのキャリアでサービスされることを仮定して説明する。
【００５６】
図６は、本発明のさらに他の実施形態による無線通信システムの構成を示している。
【００５７】
前記図６を参照すれば、前記端末６０８はサービング基地局６０２とＬゾーン６１２でデータを送受信する（ステップ６０３）。ここで、前記端末６０８は新しいＥ−ＭＢＳが要求されるか、何らかの理由で前記サービング基地局６０２がＭゾーン６１４、６１６で提供しているＥ−ＭＢＳ６１５を利用しなければならない状況に置かれている。
【００５８】
この時、前記端末６０８は本発明で提案するＤＳＡ−ＲＥＱに自らが提供されようとするＥ−ＭＢＳのＭＣＩＤ及びその関連情報を含めて前記サービング基地局６０２に送信する。すると、前記サービング基地局６０２はステップ６０５でＭゾーン６１４、６１６のＥ−ＭＢＳに対する検索を行った後、ステップ６０７で本発明で提案するＤＳＡ−ＲＳＰに前記検索結果を含めて前記端末６０８に送信する。ここで、前記Ｍゾーン６１４、６１６の各キャリア毎にＢＳＩＤが異なる場合を仮定すると、前記サービング基地局６０２は前記Ｍゾーン６１４、６１６にマッピングされるＳＴＩＤ＋ＭＦＩＤ情報及びそれに対応するＱｏＳとＣＭＡＣ情報などを含むＤＳＡ−ＲＳＰを前記端末６０８に送信する。一方、前記サービング基地局６０２がＭゾーン６１４、６１６で一つのＢＳＩＤでマルチキャリアを送出する場合を仮定すると、前記端末６０８は自らが希望するＥ−ＭＢＳがどのキャリアで提供されているかを確定できないため、前記混合基地局６０２はステップ６０７でＦＡインデックスを前記ＤＳＡ−ＲＳＰに含めてＭゾーン６１６のＦＡインデックスを端末６０８に送信する。これにより、前記端末６０８がＭゾーン６１４の代表キャリアであるＦＡ１に接続して他のＭゾーン６１６のキャリアであるＦＡ２へ変更することを防止できる。
【００５９】
その後、前記端末６０８は前記ＤＳＡ−ＲＳＰメッセージからＭＢＳ６１５の受信に必要な情報を獲得し、ステップ６１８で前記Ｍゾーン６１６のＦＡ２へのゾーンスイッチングを行って連結パスを開設し、前記獲得した情報を用いてＭＢＳ６１５を受信する。
【００６０】
図７は、本発明のさらに他の実施形態による無線通信システムにおけるＭＢＳデータの受信のためのゾーンスイッチングシナリオを示している。
【００６１】
前記図７に示すように、端末７０２はステップ７０６でＭＢＳのための連結パスを開設するためにＬゾーン７０５でＤＳＡ−ＲＥＱメッセージをサービング基地局７０４に送信する。この時、前記端末７０２は前記表１に示すようにＭＢＳに指定されたＭＣＩＤ情報及び当該ＱｏＳ情報を含むＤＳＡ−ＲＥＱメッセージを前記サービング基地局７０４に送信する。
【００６２】
前記ＤＳＡ−ＲＥＱメッセージを受信した前記サービング基地局７０４はＭＣＩＤを介して前記端末７０２がＭＢＳを提供されようとすることを認知し、ステップ７０８でＭＢＳを提供するＭゾーン７０７で前記ＭＣＩＤに対応するサービスが存在するか否かを検索し、当該サービスが存在する場合、前記当該サービスのＭＳＴＩＤ＋ＭＦＩＤ及びその関連情報を獲得する。
【００６３】
その後、前記サービング基地局７０４はステップ７１０で前記ＤＳＡ−ＲＥＱメッセージに対する応答としてＤＳＡ−ＲＳＰメッセージを生成して前記端末７０２に送信する。ここで、前記Ｍゾーン７０７に前記ＭＣＩＤに対応するサービスが存在しない場合、前記サービング基地局７０４は前記表２に示すようなＤＳＡ−ＲＳＰメッセージで「Ｃｏｎｆｉｒｍａｔｉｏｎ  Ｃｏｄｅ」フィールドを０ｘ００に設定して前記端末７０２に伝送する。一方、前記Ｍゾーン７０７に前記ＭＣＩＤに対応するサービスが存在する場合、前記サービング基地局７０４は前記表２に示すように前記「Ｃｏｎｆｉｒｍａｔｉｏｎ  Ｃｏｄｅ」フィールドを０ｘ０１に設定し、前記Ｍゾーン７０７で当該サービスが使用しているＭＳＴＩＤ＋ＭＦＩＤ、前記Ｍゾーン７０７で使用されるＰＨＹプリアンブル、サービスフローパラメータ及びＣＭＡＣ  Ｔｕｐｌｅなどを含むＤＳＡ−ＲＳＰメッセージを前記端末７０２に送信する。特に、前記Ｍゾーン７０７が一つのＢＳＩＤでマルチキャリアを送出する場合、前記混合基地局７０４は当該ＭＢＳが存在するＦＡを前記ＤＳＡ−ＲＳＰに含めて送信することによって、マルチキャリアモードでも端末７０２がエラーなく再進入を行うように誘導する。
【００６４】
その後、前記端末７０２はステップ７１２でＨＯ＿ＩＮＤメッセージを前記サービング基地局７０５に送信する。この時前記ＨＯ＿ＩＮＤメッセージは前記ＤＳＡ−ＲＳＰメッセージに含まれたＦＡにハンドオーバを行うことを知らせる。
【００６５】
その後、前記端末７０２はステップ７１４で前記サービング基地局７０５のＭゾーン７０７と同期を取ってフレームを解析する準備を終えた後、ステップ７１６でＡＡＩ＿ＲＮＧ−ＲＥＱメッセージを前記サービング基地局７０４に送信し、これに対するＡＡＩ＿ＲＮＧ−ＲＳＰメッセージを受信してネットワークへの再進入過程を行うことによって、前記サービング基地局７０４のＭゾーン７０７にゾーンスイッチングを完了する。
【００６６】
その後、前記端末７０２はステップ７２０で前記サービング基地局７０４のＭゾーン７０７との連結パスが開設されると、前記Ｌゾーン７０５でＤＳＡ−ＲＳＰメッセージを介して受信されたＭＳＴＩＤ＋ＭＦＩＤ情報を用いて前記Ｍゾーン７０７からＭＢＳを受信する。
【００６７】
それでは、以下では上述した実施形態に対する端末と基地局の動作手順について詳しく述べる。
【００６８】
図８は、本発明の一実施形態による無線通信システムにおける端末の動作手順を示している。ここで、前記端末のサービング基地局は混合基地局であり、前記端末が前記混合基地局のＭゾーンで新しいＭＢＳを受信するためにＬゾーンにゾーンスイッチングを行う場合の動作手順に対して説明する。
【００６９】
前記図８に示すように、前記端末はステップ８０１で混合基地局のＭゾーンを介してデータ通信を行う。この時、前記混合基地局と端末はマルチキャリア又はシングルキャリアを用いてデータ通信を行う。
【００７０】
前記端末はデータ通信中にＭＢＳを提供されようとする場合、ステップ８０３に進んで本発明によるＤＳＡ−ＲＥＱメッセージを生成して前記混合基地局に伝送することによってＭＢＳ連結を要求する。この時、前記ＤＳＡ−ＲＥＱメッセージは前記表１に示すように、ＭゾーンでのＭＢＳに対応するＭＳＴＩＤ＋ＭＦＩＤ、前記ＭＢＳに関連したＱｏＳ（例えば、サービスフローパラメータ）、ＰＨＹパラメータ及びＣＭＡＣ  Ｔｕｐｌｅを含む。ここで、前記端末はＡＡＩ＿ＮＢＲ−ＡＤＶを用いて前記ＭゾーンでのＥ−ＭＢＳサービスの可否を確認することもできる。
【００７１】
その後、前記端末はステップ８０５で前記混合基地局からＬゾーンでのＭＢＳ関連情報を含むＤＳＡ−ＲＳＰメッセージを受信し、ステップ８０７で前記ＤＳＡ−ＲＳＰメッセージに含まれたＭＢＳ関連情報をデコードする。この時、前記ＤＳＡ−ＲＳＰメッセージは前記表２に示すように、ＬゾーンでのＭＢＳの提供有無、ＬゾーンでのＭＢＳに対応するＭＣＩＤ、前記ＭＢＳに関連したＱｏＳ（例えば、サービスフローパラメータ）、ＰＨＹプリアンブル及びＣＭＡＣ  Ｔｕｐｌｅを含む。
【００７２】
その後、前記端末はステップ８０９で前記デコードの結果を用いて前記Ｌゾーンで当該ＭＢＳを提供するか否かを検査する。これは、前記ＤＳＡ−ＲＳＰメッセージで「Ｃｏｎｆｉｒｍａｔｉｏｎ  ｃｏｄｅ」フィールドを介して確認することができる。例えば、前記端末は前記「Ｃｏｎｆｉｒｍａｔｉｏｎ  ｃｏｄｅ」フィールドが０ｘ００である場合、前記Ｌゾーンで当該ＭＢＳを提供しないと判断し、前記「Ｃｏｎｆｉｒｍａｔｉｏｎ  ｃｏｄｅ」フィールドが０ｘ０１である場合、前記Ｌゾーンで当該ＭＢＳを提供すると判断できる。
【００７３】
もし、前記Ｌゾーンで当該ＭＢＳを提供しない場合、前記端末はステップ８０８ステップでユーザに当該サービスを提供できないことを知らせて本発明によるアルゴリズムを終了する。一方、前記Ｌゾーンで当該ＭＢＳを提供する場合、前記端末はステップ８１１に進んで前記ＤＳＡ−ＲＳＰメッセージに含まれたＭＣＩＤを獲得する。すなわち、前記端末は前記ＭゾーンのＭＳＴＩＤ＋ＭＦＩＤに対応するＬゾーンのＭＣＩＤをデコードしてＣＩＤ情報を獲得できる。この時、前記ＤＳＡ−ＲＥＱメッセージに含まれた情報が不明な場合、前記ＤＳＡ−ＲＳＰに含まれる一般的な「Ｃｏｎｆｉｒｍａｔｉｏｎ  ｃｏｄｅ」の名が変わり、前記端末は一般的なマルチキャスト用ＣＩＤを割り当てられる。その後、前記端末はステップ８１３で前記ＤＳＡ−ＲＳＰメッセージに含まれたＭＢＳに関連したＱｏＳ、ＰＨＹ情報（ＰＨＹプリアンブル）及び保安情報（ＣＭＡＣ  Ｔｕｐｌｅ）を獲得する。
【００７４】
その後、前記端末はステップ８１５で前記ＤＳＡ−ＲＳＰメッセージに含まれたゾーンスイッチング情報を基に当該ゾーンと同期を一致させ、ステップ８１７から前記Ｌゾーンへゾーンスイッチングを行って連結パスを開設し、ステップ８１９に進んで前記開設された連結パスを介して前記予め獲得したＭＢＳ関連情報を用いてＭＢＳデータを受信する。ここで前記端末は前記ＰＨＹ情報を介して前記Ｌゾーンとの同期を取ってゾーンスイッチングを行った後、前記ＭＣＩＤを基に再進入を行って連結パスを開設できる。
【００７５】
図９は、本発明の一実施形態による無線通信システムにおける基地局の動作手順を示している。ここで、前記基地局はＭゾーンとＬゾーンをいずれも支援する混合基地局であり、ＬゾーンでＭＢＳを提供している場合を仮定する。また、ここでは特定の端末が新しいＭＢＳを受信するためにＭゾーンからＬゾーンへゾーンスイッチングを行おうとする場合に前記混合基地局の動作手順に対して説明する。
【００７６】
前記図９に示すように、混合基地局はステップ９０１でＭゾーンを介してデータ通信を行っている端末からＤＳＡ−ＲＥＱメッセージを受信する。この時、前記基地局は端末が伝送したＤＳＡ−ＲＥＱメッセージをデコードして前記端末がＭＢＳを提供されようとすることを認知できる。
【００７７】
その後、前記混合基地局はステップ９０３でＭＢＳサービスを提供しているＬゾーンで前記端末が希望するサービス、すなわち、前記ＤＳＡ−ＲＥＱメッセージに含まれたＭＳＴＩＤ＋ＭＦＩＤに対応するサービスのＬゾーンでの提供有無と前記Ｌゾーンへのスイッチングのためのゾーンスイッチング情報を検索する。
【００７８】
その後、前記混合基地局はステップ９０５で前記検索の結果、前記Ｌゾーンで前記端末が希望するＭＢＳを提供するか否かを判断する。もし、前記Ｌゾーンで前記端末が希望するＭＢＳを提供しない場合、前記混合基地局はステップ９１５に進んで前記端末が希望するＭＢＳを提供しないことを示すコードを前記ＤＳＡ−ＲＳＰメッセージに含めて前記端末に送信した後、本発明によるアルゴリズムを終了する。例えば、前記ＤＳＡ−ＲＳＰメッセージの「Ｃｏｎｆｉｒｍａｔｉｏｎ  Ｃｏｄｅ」フィールドを０ｘ００に設定して前記端末に送信する。
【００７９】
一方、前記Ｌゾーンで前記端末が希望するＭＢＳを提供する場合、前記混合基地局はステップ９０７に進んで前記端末が希望するＭＢＳを提供することを示すコードを前記ＤＳＡ−ＲＳＰメッセージに含めて前記端末に送信する。例えば、前記ＤＳＡ−ＲＳＰメッセージの「Ｃｏｎｆｉｒｍａｔｉｏｎ  Ｃｏｄｅ」フィールドを０ｘ０１に設定して前記端末に送信する。この時、前記ＤＳＡ−ＲＳＰメッセージはゾーンスイッチングのために必要な情報を含み、前記表２に示すように前記Ｌゾーンで提供するＭＢＳに対応するＭＣＩＤ、それに関連したＱｏＳ、ＦＡインデックス及びＰＨＹプリアンブルなどの情報を含む。
【００８０】
その後、前記混合基地局はステップ９０９で前記Ｌゾーンを介して端末からＲＮＧ−ＲＥＱメッセージを受信し、その応答としてステップ９１１でＲＮＧ−ＲＳＰを前記端末に送信する。その後、前記混合基地局はステップ９１３で前記端末とのＭＢＳ連結パスの開設を完了し、本発明によるアルゴリズムを終了する。
【００８１】
図１０は、本発明の他の実施形態による無線通信システムにおける端末の動作手順を示している。ここで、前記端末のサービング基地局は混合基地局であり、前記端末が前記混合基地局のＭゾーンでの通信中にＬゾーンのみを支援するターゲット基地局にゾーンスイッチングを行う場合の動作手順に対して説明する。
【００８２】
前記図１０に示すように、前記端末はステップ１００１で混合基地局のＭゾーンを介してＭＢＳを受信中にＬゾーンのみを支援するターゲット基地局へのハンドオーバを命令するＡＡＩ＿ＨＯ―ＣＭＤメッセージを受信する。
【００８３】
前記ＡＡＩ＿ＨＯ―ＣＭＤメッセージを受信した端末はステップ１００３で前記ターゲット基地局から前記ＭＢＳを提供されるためにＭＢＳ連結情報を要求するＤＳＡ−ＲＥＱメッセージを前記混合基地局に送信する。この時、前記ＤＳＡ−ＲＥＱメッセージは前記表１に示すように、ＭゾーンでのＭＢＳに対応するＭＳＴＩＤ＋ＭＦＩＤ、前記ＭＢＳに関連したＱｏＳ（例えば、サービスフローパラメータ）、ＰＨＹパラメータ及びＣＭＡＣ  Ｔｕｐｌｅを含む。
【００８４】
その後、前記端末はステップ１００５で前記ターゲット基地局でのＭＢＳ関連情報を含むＤＳＡ−ＲＳＰメッセージを受信し、ステップ１００７で前記ＤＳＡ−ＲＳＰメッセージに含まれたＭＢＳ関連情報をデコードする。この時、前記ＤＳＡ−ＲＳＰメッセージは前記表２に示すように、ＬゾーンでのＭＢＳの提供有無、ＬゾーンでのＭＢＳに対応するＭＣＩＤ、ＭＢＳに関連したＱｏＳ（例えば、サービスフローパラメータ）、ＰＨＹプリアンブル及びＣＭＡＣ  Ｔｕｐｌｅなどを含む。
【００８５】
その後、前記端末はステップ１００９で前記デコードの結果を用いてターゲット基地局で当該ＭＢＳを提供するか否かを検査する。これは、前記ＤＳＡ−ＲＳＰメッセージで「Ｃｏｎｆｉｒｍａｔｉｏｎ  ｃｏｄｅ」フィールドを介して確認することができる。例えば、前記端末は前記「Ｃｏｎｆｉｒｍａｔｉｏｎ  ｃｏｄｅ」フィールドが０ｘ００である場合、前記ターゲット基地局で当該ＭＢＳを提供しないと判断し、前記「Ｃｏｎｆｉｒｍａｔｉｏｎ  ｃｏｄｅ」フィールドが０ｘ０１である場合、前記ターゲット基地局で当該ＭＢＳを提供すると判断できる。
【００８６】
もし、前記ターゲット基地局で当該ＭＢＳを提供しない場合、前記端末はステップ１０２３でユーザに当該サービスを提供できないことを知らせて本発明によるアルゴリズムを終了する。
【００８７】
一方、前記ターゲット基地局で当該ＭＢＳを提供する場合、前記端末はステップ１０１１に進んで前記ＤＳＡ−ＲＳＰメッセージに含まれたＭＣＩＤとＭＢＳに関連したＱｏＳ、ＰＨＹ情報（ＰＨＹプリアンブル）及び保安情報（ＣＭＡＣ  Ｔｕｐｌｅ）を獲得する。
【００８８】
その後、前記端末はステップ１０１３でＤＳＡ−ＲＳＰメッセージに含まれたゾーンスイッチング情報を基に前記混合基地局のＬゾーンと同期化を行い、ステップ１０１５で前記混合基地局のＬゾーンにゾーンスイッチングを行う。その後、前記端末はステップ１０１７でＨＯ＿ＩＮＤメッセージをターゲット基地局に伝送し、ステップ１０１９で前記ターゲット基地局へハンドオーバしてＭＢＳ連結パスを開設した後、ステップ１０２１で前記ＤＳＡ−ＲＳＰから予め獲得したＭＢＳ関連情報を用いて前記ターゲット基地局との間に開設された連結パスを介してＭＢＳデータを受信する。その後、前記端末は本発明によるアルゴリズムを終了する。
【００８９】
図１１は、本発明の他の実施形態による無線通信システムにおける基地局の動作手順を示している。ここで、前記基地局はＭゾーンとＬゾーンをいずれも支援する混合基地局であり、ＭゾーンでＭＢＳを提供される端末がＬゾーンのみを支援するターゲット基地局にハンドオーバする場合に前記混合基地局の動作手順に対して説明する。
【００９０】
前記図１１に示すように、混合基地局はステップ１１０１でＭゾーンを介してＭＢＳを提供される端末のハンドオーバが必要な場合、前記端末のターゲット基地局を決定し、ステップ１１０３に進んでＬゾーンのみを支援するターゲット基地局へのハンドオーバを命令するＡＡＩ＿ＨＯ―ＣＭＤメッセージを前記端末に送信する。
【００９１】
その後、前記混合基地局はステップ１１０５で前記端末からＭＢＳ連結情報を要求するＤＳＡ−ＲＥＱメッセージを受信し、ステップ１１０７でバックボーンネットワークを介してターゲット基地局が当該ＭＢＳを提供するか否かを検索する。この時、前記混合基地局は前記ＤＳＡ−ＲＥＱメッセージに含まれたＭＳＴＩＤ＋ＭＦＩＤに対応するサービスの前記ターゲット基地局のＬゾーンでの提供有無と前記Ｌゾーンへのスイッチングのためのゾーンスイッチング情報を検索する。
【００９２】
その後、前記混合基地局はステップ１１０９で前記検索の結果、前記ターゲット基地局のＬゾーンで前記端末が希望するＭＢＳを提供するか否かを判断する。もし、前記ターゲット基地局のＬゾーンで前記端末が希望するＭＢＳを提供しない場合、前記混合基地局はステップ１１１９に進んで前記端末が希望するＭＢＳを提供しないことを示すコードを前記ＤＳＡ−ＲＳＰメッセージに含めて前記端末に送信した後、本発明によるアルゴリズムを終了する。例えば、前記ＤＳＡ−ＲＳＰメッセージの「Ｃｏｎｆｉｒｍａｔｉｏｎ  Ｃｏｄｅ」フィールドを０ｘ００に設定して前記端末に送信する。
【００９３】
一方、前記ターゲット基地局のＬゾーンで前記端末が希望するＭＢＳを提供する場合、前記混合基地局はステップ１１１１に進んで前記端末が希望するＭＢＳを提供することを示すコードを前記ＤＳＡ−ＲＳＰメッセージに含めて前記端末に送信する。例えば、前記ＤＳＡ−ＲＳＰメッセージの「Ｃｏｎｆｉｒｍａｔｉｏｎ  Ｃｏｄｅ」フィールドを０ｘ０１に設定して前記端末に送信する。この時、前記ＤＳＡ−ＲＳＰメッセージはゾーンスイッチングのために必要な情報を含み、前記表２に示すように前記Ｌゾーンで提供するＭＢＳに対応するＭＣＩＤ、それに関連したＱｏＳ、ＦＡインデックス及びＰＨＹプリアンブルなどの情報を含む。
【００９４】
その後、前記混合基地局はステップ１１１３で自らが支援するＬゾーンを介して端末からＲＮＧ−ＲＥＱメッセージを受信し、ステップ１１１５で前記ターゲット基地局のＭＢＳ関連情報を再検索して変更事項があるか否かをチェックした後、ステップ１１１７に進んで前記変更事項を示すＲＮＧ−ＲＳＰを前記端末に送信する。その後、前記混合基地局は本発明によるアルゴリズムを終了する。
【００９５】
図１２は、本発明のさらに他の実施形態による無線通信システムにおける端末の動作手順を示している。ここで、前記端末のサービング基地局は混合基地局であり、前記混合基地局がＭゾーンでマルチキャリアを支援し、前記マルチキャリアのうち一つのキャリアを介してＭＢＳを支援すると仮定し、前記端末が前記混合基地局のＬゾーンで新しいＭＢＳを受信するためにＭゾーンにゾーンスイッチングを行う場合の動作手順に対して説明する。
【００９６】
前記図１２に示すように、前記端末はステップ１２０１で混合基地局のＬゾーンを介してデータ通信を行っている間にＭＢＳを提供されるために、ＤＳＡ−ＲＥＱメッセージを前記混合基地局に送信してＭＢＳ連結を要求する。この時、前記ＤＳＡ−ＲＥＱメッセージはＬゾーンでのＭＢＳに対応するＭＣＩＤ、前記ＭＢＳに関連したＱｏＳ（例えば、サービスフローパラメータ）、ＰＨＹパラメータ及びＣＭＡＣ  Ｔｕｐｌｅを含む。
【００９７】
その後、前記端末はステップ１２０３で前記混合基地局からＭゾーンでのＭＢＳ関連情報を含むＤＳＡ−ＲＳＰメッセージを受信し、ステップ１２０５で前記ＤＳＡ−ＲＳＰメッセージに含まれたＭＢＳ関連情報をデコードする。この時、前記ＤＳＡ−ＲＳＰメッセージはＭゾーンでのＭＢＳの提供有無、ＭゾーンでのＭＢＳに対応するＭＳＴＩＤ＋ＭＦＩＤ、ＭＢＳに関連したＱｏＳ（例えば、サービスフローパラメータ）、ＰＨＹプリアンブル及びＣＭＡＣ  Ｔｕｐｌｅを含む。
【００９８】
その後、前記端末はステップ１２０７で前記デコードの結果を用いて前記Ｍゾーンで当該ＭＢＳを提供するか否かを検査する。これは、前記ＤＳＡ−ＲＳＰメッセージで「Ｃｏｎｆｉｒｍａｔｉｏｎ  ｃｏｄｅ」フィールドを介して確認することができる。例えば、前記端末は前記「Ｃｏｎｆｉｒｍａｔｉｏｎ  ｃｏｄｅ」フィールドが０ｘ００である場合、前記Ｍゾーンで当該ＭＢＳを提供しないと判断し、前記「Ｃｏｎｆｉｒｍａｔｉｏｎ  ｃｏｄｅ」フィールドが０ｘ０１である場合、前記Ｍゾーンで当該ＭＢＳを提供すると判断できる。
【００９９】
もし、前記Ｍゾーンで当該ＭＢＳを提供しない場合、前記端末はステップ１２２１でユーザに当該サービスを提供できないことを知らせて本発明によるアルゴリズムを終了する。一方、前記Ｍゾーンで当該ＭＢＳを提供する場合、前記端末はステップ１２０９に進んで前記ＤＳＡ−ＲＳＰメッセージに含まれたＭＳＴＩＤ＋ＭＦＩＤ、ＭＢＳに関連したＱｏＳ、ＦＡインデックス、ＰＨＹ情報（ＰＨＹプリアンブル）及び保安情報（ＣＭＡＣ  Ｔｕｐｌｅ）を獲得する。
【０１００】
その後、前記端末はステップ１２１１でＨＯ＿ＩＮＤメッセージを前記混合基地局に送信する。この時前記ＨＯ＿ＩＮＤメッセージは前記ＤＳＡ−ＲＳＰメッセージに含まれたＦＡにハンドオーバを行うことを知らせる。
【０１０１】
その後、前記端末はステップ１２１３で前記ＤＳＡ−ＲＳＰメッセージに含まれたゾーンスイッチング情報を基にＭゾーンと同期を一致させ、ステップ１２１５で前記ＭゾーンでＭＢＳを提供するＦＡにゾーンスイッチングを行って連結パスを開設し、ステップ１２１７に進んで前記開設された連結パスを介して前記予め獲得したＭＢＳ関連情報を用いてＭＢＳデータを受信する。ここで前記端末は前記ＰＨＹ情報を介して前記Ｍゾーンとの同期を取ってゾーンスイッチングを行った後、前記ＭＳＴＩＤ＋ＭＦＩＤ及びＦＡインデックスを基に再進入を行って連結パスを開設できる。
【０１０２】
図１３は、本発明のさらに他の実施形態による無線通信システムにおける基地局の動作手順を示している。ここで、前記基地局はＭゾーンとＬゾーンをいずれも支援する混合基地局であり、Ｍゾーンの特定のキャリアでＭＢＳを提供している場合を仮定する。また、ここでは特定の端末が新しいＭＢＳを受信するためにＬゾーンからＭゾーンへゾーンスイッチングを行おうとする場合の前記混合基地局の動作手順に対して説明する。
【０１０３】
前記図１３に示すように、混合基地局はステップ１３０１でＬゾーンを介してデータ通信中の端末からＤＳＡ−ＲＥＱメッセージを受信する。この時、前記混合基地局は端末が伝送したＤＳＡ−ＲＥＱメッセージをデコードして前記端末がＭＢＳを提供されようとすることを認知できる。
【０１０４】
その後、前記混合基地局はステップ１３０３でＭＢＳサービスを提供しているＭゾーンで前記端末が希望するサービス、すなわち、前記ＤＳＡ−ＲＥＱメッセージに含まれたＭＣＩＤに対応するサービスのＭゾーンでの提供有無と前記Ｍゾーンへのスイッチングのためのゾーンスイッチング情報を検索する。
【０１０５】
その後、前記混合基地局はステップ１３０５で前記検索の結果、前記Ｍゾーンで前記端末が希望するＭＢＳを提供するか否かを判断する。もし、前記Ｍゾーンで前記端末が希望するＭＢＳを提供しない場合、前記混合基地局はステップ１３１７に進んで前記端末が希望するＭＢＳを提供しないことを示すコードを前記ＤＳＡ−ＲＳＰメッセージに含めて前記端末に送信した後、本発明によるアルゴリズムを終了する。例えば、前記ＤＳＡ−ＲＳＰメッセージの「Ｃｏｎｆｉｒｍａｔｉｏｎ  Ｃｏｄｅ」フィールドを０ｘ００に設定して前記端末に送信する。
【０１０６】
一方、前記Ｍゾーンで前記端末が希望するＭＢＳを提供する場合、前記混合基地局はステップ１３０７に進んで前記端末が希望するＭＢＳを提供することを示すコードを前記ＤＳＡ−ＲＳＰメッセージに含めて前記端末に送信する。例えば、前記ＤＳＡ−ＲＳＰメッセージの「Ｃｏｎｆｉｒｍａｔｉｏｎ  Ｃｏｄｅ」フィールドを０ｘ０１に設定して前記端末に送信する。この時、前記ＤＳＡ−ＲＳＰメッセージはゾーンスイッチングのために必要な情報を含み、前記Ｍゾーンで提供するＭＢＳに対応するＭＣＩＤ、それに関連したＱｏＳ、ＦＡインデックス及びＰＨＹプリアンブルなどの情報を含む。
【０１０７】
その後、前記混合基地局はステップ１３０９で前記Ｌゾーンを介して端末からＭゾーンの特定のキャリアへのハンドオーバを示すＨＯ＿ＩＮＤメッセージを受信し、ステップ１３１１に進んでＭゾーンでＲＮＧ−ＲＥＱメッセージを受信し、その応答としてステップ１３１３でＲＮＧ−ＲＳＰを前記端末に送信する。その後、前記混合基地局はステップ１３１５で前記端末とのＭＢＳ連結パスの開設を完了して、本発明によるアルゴリズムを終了する。
【０１０８】
図１４は、本発明による無線通信システムにおける基地局のブロック構成を示している。
【０１０９】
前記図１４に示すように、前記基地局はバックボーン通信機１４００、通信制御機１４１０、プリアンブル生成器１４２０、ＭＢＳフレーム生成器１４３０、副搬送波マッピング器１４４０、ＯＦＤＭ変調器１４５０及びＲＦ（Ｒａｄｉｏ  Ｆｒｅｑｕｅｎｃｙ）送信機１４６０を含んで構成される。
【０１１０】
前記バックボーン通信機１４００はハンドオーバ時にバックボーンネットワークを介して上位ノード又は他の基地局と通信を行うためのインタフェースを提供する。前記通信制御機１４１０は前記基地局内でシステムの変更、すなわち、ゾーンスイッチングなどを含む通信を行うための全般的な機能を制御する。例えば、前記バックボーン通信機１４００は前記通信制御機１４１０の制御下に隣接する基地局又は他のシステム内のＭＢＳ関連情報を獲得してＭＢＳ広告情報を提供する。もし、新しいシステムの基地局間バックボーンネットワークメッセージの形態と既存のシステムの基地局間バックボーンネットワークメッセージの形態が互いに異なる場合、前記バックボーン通信機１４００は前記通信制御機１４１０の制御下に既存システムのバックボーンネットワークメッセージを用いて広告情報を提供する。一方、前記通信制御機１４１０は混合基地局の場合、保有するシステムに応じて個別動作を行うようになる。また、前記通信制御機１４１０はメッセージをデコードして対応する動作（例えば、システム変更）などを命令する。特に、前記通信制御機１４１０は端末がゾーンスイッチングを行う前にスイッチングするゾーンに対するＭＢＳ関連情報を検索してＤＳＡメッセージを介して提供するための機能を制御及び処理する。また、前記通信制御機１４１０はプリアンブルの送信時点に到達すると、前記プリアンブル生成器１４２０の動作をトリガする。
【０１１１】
前記プリアンブル生成器１４２０はシステムの形態に応じて前記基地局に割り当てられたプリアンブルインデックスに対応するプリアンブル信号を生成する。すなわち、前記プリアンブル生成器１４２０は前記プリアンブルインデックスに対応するシーケンスに沿って物理的複素シンボル列を生成し、プリアンブル信号の送信周期に沿って前記プリアンブル信号を前記副搬送波マッピング器１４４０へ提供する。
【０１１２】
前記ＭＢＳフレーム生成器１４３０はシステムの形態に応じて前記基地局に割り当てられた方式でＭＢＳフレームを構成する。前記ＭＢＳフレームには別途のマップが含まれ得る。前記ＭＢＳフレーム生成器１４３０は各システム毎に独立して構成されており、フレームの送信周期に沿ってＭＢＳフレーム信号を副搬送波マッピング器１４４０へ提供する。
【０１１３】
前記副搬送波マッピング器１４４０は前記プリアンブル信号とＭＢＳフレームを構成する複素シンボルを定められた規則に従って周波数領域にマッピングする。前記ＯＦＤＭ変調器１４５０はＩＦＦＴ（Ｉｎｖｅｒｓｅ  Ｆａｓｔ  Ｆｏｕｒｉｅｒ  Ｔｒａｎｓｆｏｒｍ）演算を介して前記周波数領域にマッピングされた複素シンボルを時間領域信号に変換した後、ＣＰ（Ｃｙｃｌｉｃ  Ｐｒｅｆｉｘ）を挿入することによってＯＦＤＭシンボルを構成する。前記ＲＦ送信機１４６０は前記ＯＦＤＭシンボルをＲＦ帯域信号にアップコンバートした後、アンテナを介して送信する。
【０１１４】
図１５は、本発明による無線通信システムにおける端末のブロック構成を示している。
【０１１５】
前記図１５に示すように、前記端末はＲＦ受信機１５０２、ＯＦＤＭ復調器１５０４、副搬送波デマッピング器１５０６、プリアンブル検出器１５０８、メッセージ解析器１５１０及び通信制御機１５１２を含んで構成される。
【０１１６】
前記ＲＦ受信機１５０２はアンテナを介して受信されるＲＦ帯域信号を基底帯域信号にダウンコンバートする。前記ＯＦＤＭ復調器１５０４は前記基底帯域信号をＯＦＤＭシンボル単位に区分し、ＣＰを除去した後、ＦＦＴ（Ｆａｓｔ  Ｆｏｕｒｉｅｒ  Ｔｒａｓｎｆｏｒｍ）演算を介して周波数領域にマッピングされた複素シンボルを復元する。前記副搬送波デマッピング器１５０６は前記周波数領域にマッピングされた複素シンボルを処理単位に分類する。例えば、前記副搬送波デマッピング器１５０６はチャネル品質測定に用いられるプリアンブル信号及びパイロット信号を抽出し、制御メッセージの信号を抽出して前記メッセージ解析器１５１０へ提供する。
【０１１７】
前記メッセージ解析器１５１０は基地局から受信される制御メッセージを解析する。すなわち、前記メッセージ解析器１５１０は受信された制御メッセージの種類及び制御メッセージに含まれた情報を確認する。例えば、前記メッセージ解析器１５１０は前記サービング基地局からハンドオーバやシステム変更のための情報を確認する。ここで、前記情報は本発明で提案するＤＳＡメッセージを含み、ＢＳＩＤ、ＭＣＩＤ、ＦＡインデックス、プリアンブルインデックスなどを含む。また、ＭＢＳサービスフレームを解析し、前記メッセージ解析器はシステム毎に別途に存在する。
【０１１８】
前記プリアンブル検出器１５０８は前記通信制御機１５１２から提供されるプリアンブルインデックスに対応するプリアンブル信号をスキャンする。この時、前記通信制御機１５１２から提供されるプリアンブルインデックスは新しいシステムのプリアンブルインデックス及び既存システムのプリアンブルインデックスを含む。すなわち、前記プリアンブル検出器１５０８は前記新しいシステムのプリアンブルインデックスに対応する新しいシステムのプリアンブル信号の検出を試み、前記既存システムのプリアンブルインデックスに対応する既存システムのプリアンブル信号の検出を試みる。その後、前記プリアンブル検出器１５０８はプリアンブル情報を前記通信制御機１５１２へ知らせる。
【０１１９】
前記通信制御機１５１２は前記端末の通信を行うための全般的な機能を制御する。例えば、前記通信制御機１５１２はＭＢＳサービスの位置とシステムの全般的な状況を考慮してシステムの変更又は隣接基地局とハンドオーバの可否を判断する。特に、本発明によれば、前記通信制御機１５１２はゾーンスイッチング前にスイッチングするゾーンのＭＢＳ関連情報を獲得するための機能を制御及び処理する。前記通信制御機１５１２はシステムを変更（又はゾーンスイッチング）する場合、本発明で提案するＤＳＡメッセージから得た情報を基に既存システムを新しいシステムへ変更時に必要な物理的制御機能を行う。詳細に説明すると、前記通信制御機１５１２はサービング基地局から受信されたＤＳＡメッセージのプリアンブル、ＦＡ、ＭＣＩＤなどの情報を抽出し、前記プリアンブルインデックスを用いて新しいシステムのプリアンブルインデックスを構成し、前記ＦＡに接続するための制御機能を行う。
【０１２０】
上述した説明では、基地局がマルチキャリアを支援する場合、Ｅ−ＭＢＳ又はＭＢＳ（以下、「Ｅ−ＭＢＳ」と称する）を支援する特定のキャリアに端末がゾーンスイッチングを行う場合に対して説明したが、前記基地局がマルチキャリアを支援して特定のキャリアでＥ−ＭＢＳを提供する場合、端末はゾーンに関係なく前記Ｅ−ＭＢＳを提供するキャリアに移動できる。
【０１２１】
すなわち、前記端末はマルチキャリアを支援する特定のゾーン内でＥ−ＭＢＳを受信するためにキャリアスイッチングを行うこともできる。例えば、前記特定ゾーンで第１キャリア（Ｐｒｉｍａｒｙ  Ｃａｒｒｉｅｒ）と第２キャリア（Ｓｅｃｏｎｄａｒｙ  Ｃａｒｒｉｅｒ）をいずれも支援するシステムで、Ｅ−ＭＢＳサービスを前記第２キャリアを使用して提供している場合を仮定する。この時、前記第２キャリアはＥ−ＭＢＳサービスのための専用キャリアであることがある。
【０１２２】
図１６は、本発明のさらに他の実施形態による無線通信システムの構成を示している。
【０１２３】
図１６に示すように、端末１６０８は前記第１キャリアであるＦＡ１  １６１４を介してデータを送受信する状態にある（ステップ１６０３）。ここで、前記サービング基地局１６０２はＥ−ＭＢＳサービス構成情報を含むＡＡＩ＿Ｅ−ＭＢＳ−ＣＦＧメッセージを周期的に放送する。前記Ｅ−ＭＢＳサービス構成情報はＥ−ＭＢＳ  Ｚｏｎｅ  ＩＤとＥ−ＭＢＳＭＡＰの位置情報を含む。また、前記サービング基地局１６０２と前記端末１６０８は前記ネットワーク進入手順を行う間にＡＡＩ＿ＲＥＧ＿ＲＥＱ／ＡＡＩ＿ＲＥＧ＿ＲＳＰメッセージまたはＥ−ＭＢＳ能力（ｃａｐａｂｉｌｉｔｙ）を交換する。
【０１２４】
その後、前記端末１６０８はステップ１６０５でＥ−ＭＢＳフローの設定（ｆｌｏｗ  ｅｓｔａｂｌｉｓｈｍｅｎｔ）のために前記サービング基地局１６０２とＤＳＡ＿ＲＥＱ／ＤＳＡ＿ＲＳＰメッセージを交換する。すなわち、前記端末１６０８がＥ−ＭＢＳサービスの連結のために前記サービング基地局１６０２にＤＳＡ＿ＲＥＱメッセージを伝送し、前記サービング基地局１６０２が前記端末１６０８へＤＳＡ＿ＲＳＰメッセージを伝送してＥ−ＭＢＳサービス連結が可能であるか否かを応答するか、前記サービング基地局１６０２がＥ−ＭＢＳサービスの連結のために前記端末１６０８へＤＳＡ＿ＲＥＱメッセージを伝送し、前記端末１６０８が前記サービング基地局１６０２にＤＳＡ＿ＲＳＰメッセージを伝送してＥ−ＭＢＳサービス連結が可能であるか否かを応答できる。この時、前記基地局１６０２が前記端末１６０８に伝送するＤＳＡ＿ＲＥＱ又はＤＳＡ＿ＲＳＰメッセージは、Ｅ−ＭＢＳサービス、Ｅ−ＭＢＳ  ｚｏｎｅ  ＩＤ、Ｅ−ＭＢＳサービスフローパラメータ、物理的キャリアインデックス（Ｐｈｙｓｉｃａｌ  Ｃａｒｒｉｅｒ  Ｉｎｄｅｘ）、キャリアスイッチングモード（Ｃａｒｒｒｉｅｒ  ｓｗｉｔｃｈｉｎｇ  Ｍｏｄｅ）及びユニキャストアベイラブルインターバルビットマップ（Ｕｎｉｃａｓｔ  Ａｖａｉｌａｂｌｅ  Ｉｎｔｅｒｖａｌ  Ｂｉｔｍａｐ）などを含む。ここで、前記Ｅ−ＭＢＳサービスはＥ−ＭＢＳサービスが要求されるか又は供給されて現在連結設定を指示するか否かを示し、前記Ｅ−ＭＢＳ  Ｚｏｎｅ  ＩＤは現在のサービスフローに関連した連結が有効なＥ−ＭＢＳ  ｚｏｎｅを示し、前記Ｅ−ＭＢＳサービスフローパラメータはＥ−ＭＢＳ  ＩＤ及びＦＩＤマッピングを示し、前記物理的キャリアインデックスは端末がスイッチングするターゲットキャリアを示す。また、前記キャリアスイッチングモードはユニキャストアベイラブルインターバル（ｕｎｉｃａｓｔ  ａｖａｉｌａｂｌｅ  ｉｎｔｅｒｖａｌ）とアベイラブルインターバルレポート（ａｖａｉｌａｂｌｅ  ｉｎｔｅｒｖａｌ  ｒｅｐｏｒｔ）を基にキャリアスイッチングモードを示し、前記ユニキャストアベイラブルインターバルビットマップは端末が前記第１キャリア１６１４へ戻る時間を示すビットマップを意味する。ここで、前記端末１６０８と基地局１６０２はＤＳＣ＿ＲＥＱ／ＤＳＣ＿ＲＳＰメッセージの交換又はＤＳＤ＿ＲＥＱ／ＤＳＤ＿ＲＳＰメッセージの交換を介してＥ−ＭＢＳ関連情報を交換することができる。
【０１２５】
前記端末１６０８は前記交換された前記Ｅ−ＭＢＳ関連情報を基にＥ−ＭＢＳ受信のための連結パスを開設し、前記物理的キャリアインデックスからＥ−ＭＢＳを提供するキャリアが第２キャリア１６１６であることを確認し、ＡＡＩ−Ｅ−ＭＢＳ−ＲＥＰメッセージを用いて前記第２キャリア１６１６へキャリアスイッチングを行った後、前記第２キャリア１６１６を介して基地局１６０２が伝送するＥ−ＭＢＳを受信する（ステップ１６０７）。
【０１２６】
図１７は、本発明のさらに他の実施形態による無線通信システムにおけるＭＢＳデータの受信のためのキャリアスイッチングシナリオを示している。
【０１２７】
前記図１７に示すように、先ず、端末１７０２は第１キャリアであるＦＡ１  １７０５を介してネットワーク進入手順を行ってサービング基地局１７０４とデータ通信を行っているか、またはデータ通信が可能な状態にあると仮定する。ここで、前記サービング基地局１７０４はＥ−ＭＢＳサービス構成情報を含むＡＡＩ＿Ｅ−ＭＢＳ−ＣＦＧメッセージを周期的に放送し、前記サービング基地局１７０４と前記端末１７０２はネットワーク進入手順を行っている間にＥ−ＭＢＳ能力（ｃａｐａｂｉｌｉｔｙ）交換のためにＡＡＩ＿ＲＥＧ＿ＲＥＱ／ＡＡＩ＿ＲＥＧ＿ＲＳＰを交換する。
【０１２８】
前記端末１７０２がステップ１７１０で前記ＦＡ１  １７０５を介してＥ−ＭＢＳサービスの連結のためのＤＳＡ＿ＲＥＱメッセージを前記サービング基地局１７０４に伝送すると、前記サービング基地局１７０４はステップ１７１２でＥ−ＭＢＳ関連情報を含むＤＳＡ＿ＲＳＰメッセージを前記端末１７０２に伝送する。ここで、前記ＤＳＡ＿ＲＳＰメッセージはＥ−ＭＢＳサービス、Ｅ−ＭＢＳ  ｚｏｎｅ  ＩＤ、Ｅ−ＭＢＳサービスフローパラメータ、物理的キャリアインデックス、キャリアスイッチングモード及びユニキャストアベイラブルインターバルビットマップなどを含む。ここで、前記基地局１７０４がＥ−ＭＢＳサービス連結のためにＤＳＡ−ＲＥＱメッセージを生成して前記端末１７０２に伝送した場合、前記Ｅ−ＭＢＳ関連情報は前記ＤＳＡ−ＲＥＱメッセージに含まれる。
【０１２９】
すると、前記端末１７０４は前記ＤＳＡ＿ＲＳＰメッセージに含まれた前記Ｅ−ＭＢＳ関連情報を基にＥ−ＭＢＳ受信のための連結パスを開設し、前記Ｐｈｙｓｉｃａｌ  Ｃａｒｒｉｅｒ  ＩｎｄｅｘからＥ−ＭＢＳを提供するキャリアが第２キャリアであるＦＡ２  １７０７であることを確認し、ステップ１７１４で前記第２キャリア１７０７へキャリアスイッチングを行った後、ステップ１７１６に進んで前記第２キャリア１７０７を介してＥ−ＭＢＳデータを受信する。
【０１３０】
本発明はマルチキャリアを用いる広帯域無線通信システムでＤＳＡ−ＲＥＱ／ＤＳＡ−ＲＮＧを送受信してゾーンスイッチング情報及びＭＢＳデータ受信情報を獲得した後、ＭＢＳを提供する位置にスイッチングを行ってＭＢＳデータ受信パスを開設することによって、ゾーンスイッチングによるＭＢＳデータ受信の遅延時間を減少させることができる効果がある。
【０１３１】
一方、本発明を実施するための形態では具体的な実施形態に関して説明したが、本発明の範囲から逸脱しない限度内で様々な変形が可能である。したがって、本発明の範囲は説明された実施形態に限定されて定められてはならず、後述する特許請求の範囲のみでなくこの特許請求の範囲と均等なものによって定められるべきである。
【符号の説明】
【０１３２】
102、202、302、408、502、608、702、1608、1702…端末
104、204、304、402、504、602、704、1602、1704…混合基地局
404、506…ターゲット基地局
105、210、305、412、505、614、616、707…Mゾーン
107、212、307、414、507、705…Lゾーン
216、415、615…MBS
214、413、613…データ
1614、1616、1705、1707…キャリア
1400…バックボーン通信機
1410、1512…通信制御器
1420…プリアンブル生成器
1430…MBSフレーム生成器
1440…副搬送波マッピング器
1450…OFDM変調器
1460…RF送信機
1502…RF受信機
1504…OFDM復調器
1506…副搬送波デマッピング器
1508…プリアンブル検出器
1510…メッセージ解析器
【図１】
2013510500.tif 000005
【図２】
2013510500.tif 000006
【図３】
2013510500.tif 000007
【図４】
2013510500.tif 000008
【図５】
2013510500.tif 000009
【図６】
2013510500.tif 000010
【図７】
2013510500.tif 000011
【図８】
2013510500.tif 000012
【図９】
2013510500.tif 000013
【図１０】
2013510500.tif 000014
【図１１】
2013510500.tif 000015
【図１２】
2013510500.tif 000016
【図１３】
2013510500.tif 000017
【図１４】
2013510500.tif 000018
【図１５】
2013510500.tif 000019
【図１６】
2013510500.tif 000020
【図１７】
2013510500.tif 000021
【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
広帯域無線通信システムにおけるマルチキャリアを支援する基地局のＭＢＳのための方法において、
前記基地局が支援するマルチキャリアのうちＭＢＳを提供する第１キャリアに対する識別情報を含むメッセージを端末に送信する過程と、
前記端末に対して前記第１キャリアにスイッチングする過程と、
前記第１キャリアを介してＭＢＳデータを送信する過程と、を含むことを特徴とする方法。
【請求項２】
前記ＭＢＳを提供する第１キャリアに対する識別情報を含むメッセージはＤＳＡ（Ｄｙｎａｍｉｃ  Ｓｅｒｖｉｃｅ  Ａｄｄｉｔｉｏｎ）メッセージであることを特徴とする請求項１に記載の方法。
【請求項３】
前記ＤＳＡメッセージは、前記ＭＢＳを提供するキャリアに対するインデックス、ＭＢＳゾーンの位置、サービスフローパラメータのうち少なくとも一つを含むことを特徴とする請求項１、または請求項２に記載の方法。
【請求項４】
前記基地局が支援するマルチキャリアのうち第２キャリアを介して通信中の前記端末からＭＢＳ関連情報要求メッセージを受信する過程をさらに含むことを特徴とする請求項１から請求項３のいずれか一つに記載の方法。
【請求項５】
広帯域無線通信システムにおけるマルチキャリアを支援する端末のＭＢＳのための方法において、
基地局からＭＢＳを提供する第１キャリアに対する識別情報を含むメッセージを受信する過程と、
前記第１キャリアにスイッチングする過程と、
前記第１キャリアを介してＭＢＳデータを受信する過程と、を含むことを特徴とする方法。
【請求項６】
前記ＭＢＳを提供する第１キャリアに対する識別情報を含むメッセージは、ＤＳＡメッセージであることを特徴とする請求項５に記載の方法。
【請求項７】
前記ＤＳＡメッセージは、前記ＭＢＳを提供するキャリアに対するインデックス、ＭＢＳゾーンの位置、サービスフローパラメータのうち少なくとも一つを含むことを特徴とする請求項５、または請求項６に記載の方法。
【請求項８】
前記基地局が支援するマルチキャリアのうち第２キャリアを介してＭＢＳ関連情報要求メッセージを前記基地局に送信する過程をさらに含むことを特徴とする請求項５から請求項７のいずれか一つに記載の方法。
【請求項９】
広帯域無線通信システムにおけるマルチキャリアを支援する基地局のＭＢＳのための 基地局装置において、
端末との送受信信号を処理する通信部と、
前記通信部を制御して前記基地局が支援するマルチキャリアのうちＭＢＳを提供する第１キャリアに対する識別情報を含むメッセージを端末に送信し、前記端末に対して前記第１キャリアにスイッチングし、前記第１キャリアを介してＭＢＳデータを伝送するように制御する制御部と、を含むことを特徴とする装置。
【請求項１０】
前記ＭＢＳを提供する第１キャリアに対する識別情報を含むメッセージは、ＤＳＡメッセージであることを特徴とする請求項９に記載の装置。
【請求項１１】
前記通信部は、前記基地局が支援するマルチキャリアのうち第２キャリアを介して通信中の前記端末からＭＢＳ関連情報要求メッセージを受信することを特徴とする請求項９、または請求項１０に記載の装置。
【請求項１２】
前記通信部は、前記基地局が支援するマルチキャリアのうち第２キャリアを介してＭＢＳ関連情報要求メッセージを前記端末から受信することを特徴とする請求項９から請求項１1のいずれか一つに記載の装置。
【請求項１３】
広帯域無線通信システムにおけるマルチキャリアを支援する端末のＭＢＳのための端末の装置において、
基地局との送受信信号を処理する通信部と、
前記通信部を制御して基地局からＭＢＳを提供する第１キャリアに対する識別情報を含むメッセージを受信し、前記第１キャリアにスイッチングし、前記第１キャリアを介してＭＢＳデータを受信する制御部と、を含むことを特徴とする装置。
【請求項１４】
前記ＭＢＳを提供する第１キャリアに対する識別情報を含むメッセージは、ＤＳＡメッセージであることを特徴とする請求項１３に記載の装置。
【請求項１５】
前記ＤＳＡメッセージは、前記ＭＢＳを提供するキャリアに対するインデックス、ＭＢＳゾーンの位置、サービスフローパラメータのうち少なくとも一つを含むことを特徴とする請求項１３、または請求項１４に記載の装置。
【請求項１６】
前記通信部は、前記基地局が支援するマルチキャリアのうち第２キャリアを介してＭＢＳ関連情報要求メッセージを前記基地局に伝送することを特徴とする請求項１３から請求項１５のいずれか一つに記載の装置。
【国際調査報告】
2013510500.tif 000022
2013510500.tif 000023